(57)【要約】【課題】タッチパネルにより生成される座標入力データを正確にかつ自動的に較正することができる切替器およびこの切替器に接続されたタッチパネルの較正方法を実現する。【解決手段】複数のコンピュータのうちの１つとそれぞれがタッチパネルを有する複数の入出力装置のうちの１つとの間の電気的接続を切り替える切替器１は、タッチパネルにより生成される座標入力データを較正するための較正パラメータをタッチパネルごとに記憶するメモリ１１と、所望のコンピュータとの間において電気的接続が確立されたタッチパネルに対応する較正パラメータをメモリ１１から読み出す読出し手段１２と、読出し手段１２が読み出した較正パラメータを用いて、電気的な接続が確立されたタッチパネルから受信した座標入力データを較正する較正手段１３と、較正手段１３が較正した座標入力データを電気的な接続が確立されたコンピュータへ出力する出力手段１４とを備える。【選択図】図１
2008046762.tif 000002
【特許請求の範囲】
【請求項１】
複数のコンピュータと、それぞれがタッチパネルを前記コンピュータに対する座標入力手段として有する複数の入出力装置との間における電気的な接続を切り替えることにより、前記複数のコンピュータのうちの所望のコンピュータと、前記複数の入出力装置のうちの所望の入出力装置との間において電気的な接続を確立する切替器であって、
前記タッチパネルへのタッチ操作により生成される座標入力データを較正するための較正パラメータを、各前記タッチパネルごとに記憶するメモリと、
前記所望のコンピュータとの間において電気的な接続が確立された前記所望の入出力装置の前記タッチパネルに対応する前記較正パラメータを前記メモリから読み出す読出し手段と、
該読出し手段が読み出した前記較正パラメータを用いて、当該電気的な接続が確立された前記所望の入出力装置の前記タッチパネルから受信した前記座標入力データを較正する較正手段と、
該較正手段が較正した前記座標入力データを、当該電気的な接続が確立された前記所望のコンピュータへ出力する出力手段と、
を備えることを特徴とする切替器。
【請求項２】
各前記タッチパネルごとの較正パラメータを、前記メモリに書き込む書込み手段をさらに備える請求項１に記載の切替器。
【請求項３】
前記較正手段による前記の較正を禁止する禁止手段をさらに備える請求項１に記載の切替器。
【請求項４】
複数のコンピュータのうち所望のコンピュータとの間で電気的な接続を確立する切替器に接続された、座標入力機能を有するタッチパネルの較正方法であって、
前記切替器内のメモリに予め記憶された、前記タッチパネルへのタッチ操作により生成される座標入力データを較正するための当該タッチパネル固有の較正パラメータを用いて、前記所望のコンピュータとの間において電気的な接続が確立された当該タッチパネルから受信した前記座標入力データを、前記切替器内のプロセッサが較正することを特徴とするタッチパネルの較正方法。
【請求項５】
複数のコンピュータのうち所望のコンピュータとの間で電気的な接続を確立する切替器に接続された、座標入力機能を有するタッチパネルの較正方法であって、
前記切替器内のメモリに予め記憶された、前記タッチパネルへのタッチ操作により生成される座標入力データを較正するための各前記タッチパネル固有の較正パラメータのうち、前記所望のコンピュータとの間において電気的な接続が確立された前記タッチパネルに対応する前記較正パラメータを用いて、当該タッチパネルから受信した前記座標入力データを、前記切替器内のプロセッサが較正することを特徴とするタッチパネルの較正方法。
【請求項６】
複数のコンピュータのうち所望のコンピュータとの間で電気的な接続を確立する切替器に接続された、座標入力機能を有するタッチパネルの較正方法であって、
前記切替器内のメモリに予め記憶された、前記タッチパネルへのタッチ操作により生成される座標入力データを較正するための各前記タッチパネル固有の較正パラメータのうち、前記所望のコンピュータとの間において電気的な接続が確立された前記タッチパネルに対応する前記較正パラメータを、前記切替器内のプロセッサが前記メモリから読み出す読出しステップと、
該読出しステップにおいて読み出された前記較正パラメータを用いて、前記タッチパネルから受信した前記座標入力データを、前記切替器内のプロセッサが較正する較正ステップと、
該較正ステップにおいて較正された前記座標入力データを、前記切替器内のプロセッサが当該電気的な接続が確立された前記所望のコンピュータへ出力する出力ステップと、
を備えることを特徴とするタッチパネルの較正方法。
【請求項７】
前記タッチパネルへのタッチ操作により生成される座標入力データを較正するための各前記タッチパネル固有の較正パラメータを、前記切替器内のメモリに記憶する記憶ステップをさらに備える請求項６に記載のタッチパネルの較正方法。
【請求項８】
前記較正手段による前記の較正を禁止する禁止ステップをさらに備える請求項６に記載のタッチパネルの較正方法。
【発明の詳細な説明】
【技術分野】
【０００１】
本発明は、複数の入出力装置と複数のコンピュータとの間の電気的な接続を切り替えることにより、入出力装置と複数のコンピュータのうちの所望のコンピュータとの間において電気的な接続を確立する切替器、および、この切替器に接続された座標入力機能を有するタッチパネルの較正方法に関する。
【背景技術】
【０００２】
コンピュータの処理性能の格段に進歩に伴い、その利用状況はより多種多様になりつつある。近年では特に、個人ユーザが複数のコンピュータを所有し、各コンピュータ毎に異なる作業環境でコンピュータを利用したり、あるいは、複数のユーザで複数のコンピュータを共有する場面も増えつつある。このような場合、キーボード、ディスプレイモニタ、マウスなどの入出力装置（コンソール）を、切替器を介して複数のコンピュータに接続し、省スペース化および低コスト化を図るのが一般的である。このような切替器はＫＶＭ（Ｋ：Ｋｅｙｂｏａｒｄ、Ｖ：Ｖｉｄｅｏ、Ｍ：Ｍｏｕｓｅ）スイッチと一般的に呼ばれている。ユーザは切替器（ＫＶＭスイッチ）を用いることで、複数のコンピュータの中から入力装置に接続すべきコンピュータを選択して利用することができる（例えば、特許文献１参照）。
【０００３】
図３は、複数のコンピュータと複数の入出力装置との間における電気的な接続を切り替える切替器を含むコンピュータシステムを例示する概念図である。図示の例では、切替器（ＫＶＭスイッチ）１は、複数のコンピュータ３−Ａ、３−Ｂ、３−Ｃおよび３−Ｄと複数の入出力装置（コンソール）２−Ａ、２−Ｂ、２−Ｃおよび２−Ｄとの間に接続されるものである。
【０００４】
入出力装置２−Ａはキーボード２Ｋ−Ａ、ディスプレイ２Ｖ−Ａおよび座標入力装置２Ｍ−Ａで構成され、中間ユニット４−Ａによって各ケーブルがまとめられて切替器１に接続される。入出力装置２−Ｂはキーボード２Ｋ−Ｂ、ディスプレイ２Ｖ−Ｂおよび座標入力装置２Ｍ−Ｂで構成され、中間ユニット４−Ｂによって各ケーブルがまとめられて切替器１に接続される。入出力装置２−Ｃはキーボード２Ｋ−Ｃ、ディスプレイ２Ｖ−Ｃおよび座標入力装置２Ｍ−Ｃで構成され、中間ユニット４−Ｃによって各ケーブルがまとめられて切替器１に接続される。入出力装置２−Ｄはキーボード２Ｋ−Ｄ、ディスプレイ２Ｖ−Ｄおよび座標入力装置２Ｍ−Ｄで構成され、中間ユニット４−Ｄによって各ケーブルがまとめられて切替器１に接続される。座標入力装置２Ｍ−Ａ、２Ｍ−Ｂ、２Ｍ−Ｃおよび２Ｍ−Ｄの例としては、マウス、トラックボール、ジョイスティック、ポインティングデバイスなどがある。
【０００５】
切替器１は、複数のコンピュータ３−Ａ、３−Ｂ、３−Ｃおよび３−Ｄのいずれか１つと複数の入出力装置２−Ａ、２−Ｂ、２−Ｃおよび２−Ｄのいずれか１つとの間で電気的な接続を確立する。ユーザは、切替器１を介することによって、複数のコンピュータ３−Ａ、３−Ｂ、３−Ｃおよび３−Ｄの中から入出力装置２に接続すべき所望のコンピュータを選択して所望の入出力装置で利用することができる。切替器１には、その本体に切替えスイッチ（図示せず）が例えばハードウェアスイッチの形式で設けられており、ユーザは切替器１の切替えスイッチを手動で操作することにより、利用したい入出力装置およびコンピュータを選択することができる。
【０００６】
上記の入出力装置としてのディスプレイおよび座標入力装置の両方の機能を同時に兼ね備える装置として、タッチパネル付きディスプレイがある（例えば、特許文献２参照）。タッチパネル付きディスプレイは、座標入力装置としての機能を有するタッチ操作面が透明もしくは半透明のタッチパネルと、このタッチパネルの背後に設けられ、タッチパネルに向けて画像を表示する表示手段とを有する。タッチパネルは、座標平面上の原点を基準として目標位置の座標を直接に画定する絶対座標入力による座標入力装置である。タッチパネル上の目標位置に指、ペン、スタイラスペンなどで触れると、その目標位置に関する絶対座標データが生成され、コンピュータの制御処理部に出力される。コンピュータは、受信した絶対移動座標データに基づいて、タッチパネルに触れた位置に対応するディスプレイ画面上にカーソルを表示する制御を行う。これにより、ユーザは、タッチパネルを介して表示手段が表示する画面を閲覧することが可能である。
【０００７】
タッチパネルにおける押下若しくは接触感知の方法の一例として、一般に抵抗膜と呼ばれる抵抗体を用いる方法がある。抵抗膜接触方式のタッチパネルは、操作パネル面下方に設けられる抵抗膜と、この抵抗膜から所定のギャップを隔てて設けられるさらなる抵抗膜と、この２つの抵抗膜上にそれぞれ設けられて互いに直交する方向に電圧を形成するように設けられた２組の透明電極とを備える。タッチパネルの操作パネル面を指などで押下すると、操作パネル面が撓み、操作パネル面下方に設けられた抵抗膜がもう一方の抵抗膜と接触し、これら抵抗膜が短絡する。２つの抵抗膜間に短絡が発生すると、２組の透明電極が互いに直交するように形成する各電圧値にもそれぞれ変化が生じる。この各電圧値を読み取って座標入力データを生成する。
【０００８】
タッチパネル内の抵抗膜の抵抗値などの経年変化により、タッチ操作の位置に対してタッチパネルが生成する座標入力データについても経時的に変化する。したがって、タッチパネルが生成した座標入力データについては、必要に応じて較正（キャリブレーション）を行う必要がある。通常、タッチパネル付きディスプレイにおいては、このようなタッチパネルの較正を行う機能が用意されている（例えば、特許文献３参照）。
【０００９】
【特許文献１】特開２００５−２６６９５１号公報
【特許文献２】特開平１１−１６１４２６号公報
【特許文献３】特開２００３−２８８１７２号公報
【発明の開示】
【発明が解決しようとする課題】
【００１０】
一般に、タッチパネルの経年変化はタッチパネルごとに異なることから、タッチパネルへのタッチ操作により生成される座標入力データを較正（キャリブレーション）するために用いられる較正パラメータは、タッチパネルごとに異なる。タッチパネルの較正パラメータは、該タッチパネルにコンピュータを接続したときの当該コンピュータにおける処理によって、取得される。
【００１１】
タッチパネル固有の較正パラメータは、当該タッチパネルを較正する際に用いたコンピュータとの組合せにおいて一義的に定まるものである。このため、同一のタッチパネルに関して、あるコンピュータを用いて生成された較正パラメータは、当該コンピュータとは別のコンピュータとの関係においては、全く機能しない。具体例を挙げると、切替器（ＫＶＭスイッチ）に、複数のタッチパネル付きディスプレイと複数のコンピュータとが接続される場合においては、タッチパネルとコンピュータと組合せによって較正パラメータが異なる故に、タッチパネルが生成した座標入力データを正確には較正できず、その結果、タッチパネルへのタッチ操作によって本来表示されるべきディスプレイの画面上におけるカーソルの位置からは、実際のカーソル位置がずれてしまう問題が生じる。なお、この問題を回避するために、切替器がタッチパネル付きディスプレイとコンピュータとの組合せを切り替えるごとに、実際に当該タッチパネル付きディスプレイおよび当該コンピュータを利用する前にこの組合せの下で較正（キャリブレーション）をやり直す、といったことも考えられるが、このような切替器の切替動作ごとの再度の較正作業はユーザにとっては非常に面倒なものである。
【００１２】
従って本発明の目的は、上記問題に鑑み、それぞれがタッチパネルを有する複数の入出力装置のうち所望の入出力装置と複数のコンピュータのうち所望のコンピュータとの間で切替器が電気的な接続を確立する場合において、タッチパネルとコンピュータの組合せ如何にかかわらず、タッチパネルにより生成される座標入力データを、常に正確にかつ自動的に較正することができる切替器、および、この切替器に接続されたタッチパネルの較正方法を提供することにある。
【課題を解決するための手段】
【００１３】
上記目的を実現するために、本発明においては、複数のコンピュータのうち所望のコンピュータとの間で電気的な接続を確立する切替器に接続された、座標入力機能を有するタッチパネルに対して、切替器内のメモリに予め記憶された、タッチパネルへのタッチ操作により生成される座標入力データを較正するための当該タッチパネル固有の較正パラメータを用いて、複数のコンピュータのうち所望のコンピュータとの間において電気的な接続が確立された当該タッチパネルから受信した座標入力データを、切替器内のプロセッサが較正する。
【００１４】
すなわち、本発明によれば、複数のコンピュータと、タッチパネルをコンピュータに対する座標入力手段として有する複数の入出力装置との間における電気的な接続を切り替えることにより、これら複数のコンピュータのうちの所望のコンピュータと、これら複数の入出力装置のうちの所望の入出力装置との間において電気的な接続を確立する切替器は、タッチパネルへのタッチ操作により生成される座標入力データを較正するための較正パラメータを、各タッチパネルごとに記憶するメモリと、所望のコンピュータとの間において電気的な接続が確立された入出力装置のタッチパネルに対応する較正パラメータをメモリから読み出す読出し手段と、この読出し手段が読み出した較正パラメータを用いて、当該電気的な接続が確立された入出力装置のタッチパネルから受信した座標入力データを較正する較正手段と、この較正手段が較正した座標入力データを、当該電気的な接続が確立されたコンピュータへ出力する出力手段と、を備える。
【００１５】
また、本発明による、複数のコンピュータのうち所望のコンピュータとの間で電気的な接続を確立する切替器に接続された、座標入力機能を有するタッチパネルの較正方法は、切替器内のメモリに予め記憶された、タッチパネルへのタッチ操作により生成される座標入力データを較正するための各タッチパネル固有の較正パラメータのうち、所望のコンピュータとの間において電気的な接続が確立されたタッチパネルに対応する較正パラメータを、切替器内のプロセッサがメモリから読み出す読出しステップと、この読出しステップにおいて読み出された較正パラメータを用いて、タッチパネルから受信した座標入力データを、切替器内のプロセッサが較正する較正ステップと、較正ステップにおいて較正された座標入力データを、切替器内のプロセッサが当該電気的な接続が確立された所望のコンピュータへ出力する出力ステップと、を備える。はた、本発明によるタッチパネルの較正方法は、タッチパネルへのタッチ操作により生成される座標入力データを較正するための各タッチパネル固有の較正パラメータを、切替器内のメモリに記憶する記憶ステップをさらに備える。
【発明の効果】
【００１６】
本発明によれば、それぞれがタッチパネルを有する複数の入出力装置のうち所望の入出力装置と複数のコンピュータのうち所望のコンピュータとの間で切替器が電気的な接続を確立する場合において、タッチパネルとコンピュータの組合せ如何にかかわらず、タッチパネルにより生成される座標入力データを、常に正確にかつ自動的に較正することができる。したがって、タッチパネルへのタッチ操作によって本来表示されるべきディスプレイの画面上におけるカーソルの位置から、実際のカーソル位置がずれてしまうようなこともない。また、本発明によれば、ユーザは、切替器がタッチパネル付きディスプレイとコンピュータとの組合せを切り替えるごとに、タッチパネルの較正操作をやり直す必要もない。
【発明を実施するための最良の形態】
【００１７】
図１は、本発明の実施例による切替器の原理ブロック図である。本発明の実施例では、切替器（ＫＶＭスイッチ）１に、例えば４台のコンピュータ３−Ａ、３−Ｂ、３−Ｃおよび３−Ｄと、４組の入出力装置（コンソール）２−Ａ、２−Ｂ、２−Ｃおよび２−Ｄが接続される。なお、本発明の実施例ではコンピュータおよび入出力装置の数をそれぞれ４台および４組としたが、コンピュータおよび入出力装置の数は本発明を限定するものではなく、その他の数であってもよい。
【００１８】
本発明の実施例においては、各入出力装置２−Ａ、２−Ｂ、２−Ｃおよび２−Ｄは、コンピュータに対する座標入力手段およびユーザに対するディスプレイ手段としてタッチパネル付きディスプレイを備えるが、そのタッチパネルを参照符号２Ｖ−Ａ、２Ｖ−Ｂ、２Ｖ−Ｃおよび２Ｖ−Ｄで表す。なお、ここでは図示しないが、各入出力装置２−Ａ、２−Ｂ、２−Ｃおよび２−Ｄは、キーボードや、マウス、トラックボール、ジョイスティック、ポインティングデバイスなどの座標入力装置をさらに備えてもよい。あるいは、入出力装置としてタッチパネル付きディスプレイのみを備えるようにしてもよい。
【００１９】
切替器１は、従来の切替器と同様に、各入出力装置２−Ａ、２−Ｂ、２−Ｃおよび２−Ｄのうちのいずれか１つと通信するために電気的接続を切り替えるスイッチング部９と、各コンピュータ３−Ａ、３−Ｂ、３−Ｃおよび３−Ｄのうちのいずれか１つと通信するために電気的接続を切り替えるスイッチング部１０と、を備える。
【００２０】
特に本発明の実施例では、切替器１は、タッチパネル２Ｖ−Ａ、２Ｖ−Ｂ、２Ｖ−Ｃおよび２Ｖ−Ｄへのタッチ操作により生成される座標入力データを較正するための較正パラメータを、各タッチパネル２Ｖ−Ａ、２Ｖ−Ｂ、２Ｖ−Ｃおよび２Ｖ−Ｄごとに記憶するメモリ１１と、所望のコンピュータ３−Ａ、３−Ｂ、３−Ｃもしくは３−Ｄとの間において電気的な接続が確立されたタッチパネル２Ｖ−Ａ、２Ｖ−Ｂ、２Ｖ−Ｃもしくは２Ｖ−Ｄに対応する較正パラメータを、メモリ１１から読み出す読出し手段１２と、読出し手段１２が読み出した較正パラメータを用いて、当該電気的な接続が確立されたタッチパネル２Ｖ−Ａ、２Ｖ−Ｂ、２Ｖ−Ｃもしくは２Ｖ−Ｄから受信した座標入力データを較正する較正手段１３と、較正手段１３が較正した座標入力データを、当該電気的な接続が確立されたコンピュータ３−Ａ、３−Ｂ、３−Ｃもしくは３−Ｄへ出力する出力手段と、を備える。
【００２１】
ここで、「所望のコンピュータ」とは、４台のコンピュータ３−Ａ、３−Ｂ、３−Ｃおよび３−Ｄのうちの１台のコンピュータであって、ユーザが切替器１を操作することによりスイッチング部１０により切り替えられ、選択されたコンピュータのことである。また、「当該電気的な接続が確立されたタッチパネル」とは、４組の入出力装置２−Ａ、２−Ｂ、２−Ｃおよび２−Ｄのうちの１組の入出力装置であって、ユーザが切替器１を操作することによりスイッチング部８により切り替えられ、選択された入出力装置、が有するタッチパネルのことである。
【００２２】
また、本発明の実施例では、切替器１は、各タッチパネル２Ｖ−Ａ、２Ｖ−Ｂ、２Ｖ−Ｃおよび２Ｖ−Ｄごとの較正パラメータを、メモリ１１に書き込む書込み手段１５と、較正手段１３による上記の較正を禁止する禁止手段１６と、をさらに備える。
【００２３】
これら読出し手段１２、較正手段１３、書込み手段１５および禁止手段１６は、切替器１が有するプロセッサ９内に実現される。また、出力手段１４は、スイッチング部１０内に実現される。
【００２４】
本発明の実施例による切替器を用いたタッチパネルの較正方法は次のとおりである。すなわち、切替器１内のメモリ１１に予め記憶された、タッチパネル２Ｖ−Ａ、２Ｖ−Ｂ、２Ｖ−Ｃもしくは２Ｖ−Ｄへのタッチ操作により生成される座標入力データを較正するための各タッチパネル固有の較正パラメータのうち、所望のコンピュータ３−Ａ、３−Ｂ、３−Ｃもしくは３−Ｄとの間において電気的な接続が確立されたタッチパネル２Ｖ−Ａ、２Ｖ−Ｂ、２Ｖ−Ｃもしくは２Ｖ−Ｄに対応する較正パラメータを用いて、当該タッチパネル２Ｖ−Ａ、２Ｖ−Ｂ、２Ｖ−Ｃもしくは２Ｖ−Ｄからスイッチング部８を介して受信した座標入力データを、切替器１が有するプロセッサ９内に実現される較正手段１０が較正する。
【００２５】
この較正処理に先立ち、タッチパネル２Ｖ−Ａ、２Ｖ−Ｂ、２Ｖ−Ｃもしくは２Ｖ−Ｄへのタッチ操作により生成される座標入力データを較正するための各タッチパネル固有の較正パラメータを予め取得し、切替器１内のメモリ１１に記憶しておく必要がある。この較正パラメータの取得および保存は、具体的には次の２通りの方法で実現すればよい。
【００２６】
すなわち、第１の方法は、切替器１をいずれのコンピュータにも接続せずにタッチパネルの較正パラメータの取得および保存を行うことができるものであり、入出力装置２−Ａ、２−Ｂ、２−Ｃもしくは２−Ｄのディスプレイ上表示された、タッチパネル２Ｖ−Ａ、２Ｖ−Ｂ、２Ｖ−Ｃもしくは２Ｖ−Ｄの較正パラメータの取得および保存のための設定画面をユーザが見ながら実行できるようにするものである。上記設定画面の表示は、切替器１のＯＳＤ（オンスクリーンディスプレイ）機能を用いて実現する。切替器１の本体には、較正パラメータの取得および保存の開始もしくは終了を指示するための専用のボタン（図示せず）を設ける。開始ボタンが押下されると、切替器１のＯＳＤ機能により、ディスプレイに設定画面が表示され、選択されたタッチパネルとコンピュータとの組に固有の較正パラメータの取得および保存の処理が開始される。ディスプレイに表示される設定画面には、タッチパネルの識別番号、コンピュータの識別番号等が表示され、ユーザは、この設定画面を見ながら較正パラメータの取得および保存を行いたいタッチパネルおよびコンピュータを１つずつ選択することができる。選択されたタッチパネルとコンピュータとの組に固有の較正パラメータが取得されると、書込み手段１５は、取得した較正パラメータを、対応するタッチパネルおよびコンピュータの識別番号に紐付けてメモリ１１に保存する（書き込む）。較正パラメータの保存が完了した後、終了ボタンが押下されると、ディスプレイから設定画面を消去する。あるいは、較正パラメータの保存が完了した後に、自動的にディスプレイから設定画面を消去するようにしてもよい。また、較正パラメータの取得および保存の開始もしくは終了の指示を、切替器１に接続された入出力装置のうちの例えばキーボードによるキー操作により実現してもよく、この場合は、ある特定のキーコードを較正パラメータの取得および保存の開始もしくは終了の指示に割り当てればよい。
【００２７】
一方、較正パラメータの取得および保存の第２の方法は、切替器１をいずれかのコンピュータに接続して較正パラメータの取得および保存を行うものである。このコンピュータには、較正パラメータの取得および保存を行う専用のソフトウェアプログラムをインストールする。このソフトウェアプログラムによる較正パラメータの取得は、公知のタッチパネル較正アプリケーションと同様の処理を行うものであり、本発明の実施例では、取得された較正パラメータは、書込み手段１５によって、対応するタッチパネルおよびコンピュータの識別番号に紐付けられてメモリ１１に保存される（書き込まれる）。
【００２８】
図２は、本発明の実施例による切替器を用いたタッチパネルの較正方法の動作フローを示すフローチャートである。まず、ステップＳ１０１において、ユーザが切替器１を操作して４台のコンピュータ３−Ａ、３−Ｂ、３−Ｃおよび３−Ｄのうちの１台を選択すると、スイッチング部１０は、ユーザが選択したコンピュータが接続された接続ポートの電気的接続をアクティブにする。また、ユーザが切替器１を操作して４組の入出力装置２−Ａ、２−Ｂ、２−Ｃおよび２−Ｄのうちの１組を選択すると、スイッチング部１０は、ユーザが選択した入出力装置が接続された接続ポートの電気的接続をアクティブにする。これにより、ユーザ所望のコンピュータとユーザ所望の入出力装置との間の電気的な接続が切替器１を介して確立される。
【００２９】
ユーザ所望のコンピュータとユーザ所望の入出力装置との間の電気的な接続が確立されると、ステップＳ１０２において、切替器１内のメモリ１１に予め記憶された、タッチパネル２Ｖ−Ａ、２Ｖ−Ｂ、２Ｖ−Ｃもしくは２Ｖ−Ｄへのタッチ操作により生成される座標入力データを較正するための各タッチパネル固有の較正パラメータのうち、所望のコンピュータ３−Ａ、３−Ｂ、３−Ｃもしくは３−Ｄとの間において電気的な接続が確立されたタッチパネル２Ｖ−Ａ、２Ｖ−Ｂ、２Ｖ−Ｃもしくは２Ｖ−Ｄに対応する較正パラメータを、切替器１が有するプロセッサ９内の読出し手段１２が、メモリ１１から読み出す。ここで、プロセッサ９は、ステップＳ１０１におけるスイッチング部８および１０の切替処理の段階で、電気的な接続が確立されているコンピュータと入出力装置すなわちタッチパネルに関する情報を、電気的接続がアクティブになっている接続ポートの識別番号の形式で認識しているので、ステップＳ１０２におけるステップ読出し手段１２の上記読出し処理を実行することができる。
【００３０】
スイッチング部８を介して当該電気的な接続が確立されたタッチパネル２Ｖ−Ａ、２Ｖ−Ｂ、２Ｖ−Ｃもしくは２Ｖ−Ｄから座標入力データを切替器１が受信したとき、ステップＳ１０３において、プロセッサ９内の較正手段１３は、読出し手段１２が読み出した較正パラメータを用いて、当該電気的な接続が確立されたタッチパネル２Ｖ−Ａ、２Ｖ−Ｂ、２Ｖ−Ｃもしくは２Ｖ−Ｄから受信した座標入力データを較正する。
【００３１】
そして、ステップＳ１０４において、較正手段１３によって較正された座標入力データは、スイッチング部１０内の出力手段１４によって、電気的な接続が確立されたコンピュータ３−Ａ、３−Ｂ、３−Ｃもしくは３−Ｄへ出力される。
【００３２】
このように、本発明の実施例は、切替器１内のメモリ１１に予め記憶された、タッチパネル２Ｖ−Ａ、２Ｖ−Ｂ、２Ｖ−Ｃもしくは２Ｖ−Ｄへのタッチ操作により生成される座標入力データを較正するための当該タッチパネル固有の較正パラメータを用いて、複数のコンピュータ３−Ａ、３−Ｂ、３−Ｃもしくは３−Ｄのうち所望のコンピュータとの間において電気的な接続が確立された当該タッチパネルから受信した座標入力データを、切替器１が有するプロセッサ９内に実現される較正手段１０が較正するものである。すなわち、本発明の実施例によれば、複数のタッチパネル付きディスプレイと複数のコンピュータとが切替器を介して接続される場合においても、当該切替器を介して電気的な接続が確立されているコンピュータとタッチパネル付きディスプレイとの組合せに最適な較正パラメータを用いて、当該タッチパネル付きディスプレイが生成した座標入力データを較正するので、タッチパネルとコンピュータの組合せが変わっても、タッチパネル付きディスプレイの画面上において常に正確な位置にカーソルを表示させることができる。また、ユーザは、切替器がタッチパネル付きディスプレイとコンピュータとの組合せを切り替えるたびにタッチパネルの較正操作をやり直す必要もない。
【００３３】
また、本発明の実施例では、禁止手段１６により、較正手段１３による較正処理を禁止することができる。すなわち、タッチパネルにより生成される座標入力データを、較正しないでそのままの状態でコンピュータへ出力することも可能である。例えば切替器１の本体に設けられるディップスイッチの操作に連動して、プロセッサ９内の禁止手段１６による禁止処理の有無を設定できるようにする。あるいはまた、禁止手段１６の禁止処理の一部を、コンピュータ３−Ａ、３−Ｂ、３−Ｃおよび／または３−Ｄにインストールされたソフトウェアプログラムの形式で実現してもよく、この場合は、コンピュータから受信したコマンドにより、プロセッサ９内の禁止手段１６による禁止処理の有無を設定できるようにする。
【００３４】
また、メモリ１１に記憶される較正パラメータの書き換えができるようにしてもよい。例えば、タッチパネルおよびコンピュータの組合せに関して新たに較正パラメータを取得した場合には、既にメモリ１１に記憶されている較正パラメータを、新たに取得した較正パラメータで上書きされるようにしてもよい。また、既にメモリ１１に記憶されている較正パラメータを単に削除できるようにしてもよい。これら上書きおよび削除の指示は、較正パラメータの上書きおよび／または削除を指示するための専用のスイッチ（図示せず）を切替器１の本体に設けるか、あるいは切替器１に接続されるコンピュータに、較正パラメータの上書きおよび／または削除を指示するための専用のソフトウェアプログラムをインストールすることで実現できるようにすればよい。
【産業上の利用可能性】
【００３５】
本発明は、それぞれがタッチパネル付きディスプレイ、キーボード、マウスを有する複数の入出力装置（コンソール）のうちのいずれかを、複数のコンピュータのうちのいずれかに電気的に接続するＫＶＭスイッチと呼ばれる切替器に適用することができる。
【図面の簡単な説明】
【００３６】
【図１】本発明の実施例による切替器の原理ブロック図である。
【図２】本発明の実施例による切替器を用いたタッチパネルの較正方法の動作フローを示すフローチャートである。
【図３】複数のコンピュータと複数の入出力装置との間における電気的な接続を切り替える切替器を含むコンピュータシステムを例示する概念図である。
【符号の説明】
【００３７】
１    切替器
２−Ａ、２−Ｂ、２−Ｃ、２−Ｄ    入出力装置
２Ｋ−Ａ、２Ｋ−Ｂ、２Ｋ−Ｃ、２Ｋ−Ｄ    キーボード
２Ｖ−Ａ、２Ｖ−Ｂ、２Ｖ−Ｃ、２Ｖ−Ｄ    ディスプレイ
２Ｍ−Ａ、２Ｍ−Ｂ、２Ｍ−Ｃ、２Ｍ−Ｄ    座標入力装置
３−Ａ、３−Ｂ、３−Ｃ、３−Ｄ    入出力装置
４−Ａ、４−Ｂ、４−Ｃ、４−Ｄ    中間ユニット
８、１０    スイッチング部
９    プロセッサ
１１    メモリ
１２    読出し手段
１３    較正手段
１４    出力手段
１５    書込み手段
１６    禁止手段
【図１】
2008046762.tif 000003
【図２】
2008046762.tif 000004
【図３】
2008046762.tif 000005